(57)【要約】【課題】本発明は建築、構築物に用いる壁パネルの長手方向の端部を付き合わせて出来る縦目地部の構造に関するものである。さらに詳しくは、合成被覆耐火構造の耐火性能を具備した耐火性を有するために形成する合成耐火ジョイナーに関するものである。【解決手段】金属製敷目板１の両端部に防火ブランケット２を形成した合成耐火ジョイナーＡにおいて、金属製敷目板１は、平面状の支持部３と、支持部３の両端部を下方に傾斜して垂下した段差３ａと、段差３ａの先端を外方に延長した突出片４と、突出片４の先端を内方に屈曲した係止片５と、係止片５と突出片４より形成された係止溝６とから形成し、防火ブランケット２は、係止溝６〜係止片５〜突出片４に掛けて金属製敷目板１と一体化した合成耐火ジョイナーＡである。【選択図】図１
2019152046.tif 000002
【特許請求の範囲】
【請求項１】
金属製敷目板の両端部に防火ブランケットを形成した合成耐火ジョイナーにおいて、金属製敷目板は、平面状の支持部と、支持部の両端部を下方に傾斜して垂下した段差と、段差の先端を外方に延長した突出片と、突出片の先端を内方に屈曲した係止片と、係止片と突出片より形成された係止溝とから形成し、防火ブランケットは、係止溝〜係止片〜突出片に掛けて金属製敷目板と一体化したことを特徴とする合成耐火ジョイナー。
【発明の詳細な説明】
【技術分野】
【０００１】
本発明は建築、構築物に用いる壁パネルの長手方向の端部を付き合わせて出来る縦目地部の構造に関するものである。さらに詳しくは、合成被覆耐火構造の耐火性能を具備した耐火性を有するために形成する合成耐火ジョイナーに関するものである。
【背景技術】
【０００２】
一般に大臣認定を受けるもののうち、合成被覆耐火構造に形成する場合には、殆どが一面を壁パネルで被覆し、残りの三面を耐火被覆材にて被覆したものである。（例えば、特許文献１〜３参照）。
【先行技術文献】
【特許文献】
【０００３】
【特許文献１】特開２０１６−１９６７８７号公報
【特許文献２】特開２０１７−１０１３８７号公報
【特許文献３】特開２０１７−２１０８０７号公報
【発明の概要】
【発明が解決しようとする課題】
【０００４】
しかしながら、引用文献１〜３は、壁パネルとして、ＡＬＣ板、ＰＣ板、押出成形セメント板、珪酸カルシウム板、石膏ボードなどからなる無機材よりなる壁パネルを用いた構造が一般的であり、金属製表面材と金属製裏面材間に合成樹脂発泡体よりなる芯材をサンドイッチした壁パネルは耐火性の問題で使用されることが少なかった。
【課題を解決するための手段】
【０００５】
本発明はこのような欠点を解決するために、金属製敷目板の両端部に防火ブランケットを形成した合成耐火ジョイナーにおいて、金属製敷目板は、平面状の支持部と、支持部の両端部を下方に傾斜して垂下した段差と、段差の先端を外方に延長した突出片と、突出片の先端を内方に屈曲した係止片と、係止片と突出片より形成された係止溝とから形成し、防火ブランケットは、係止溝〜係止片〜突出片に掛けて金属製敷目板と一体化した合成耐火ジョイナーを提供するものである。
【発明の効果】
【０００６】
本発明に係る合成耐火ジョイナーによれば、（１）耐火試験時に壁パネルと固定下地間に熱変形による隙間を発生させず、耐火性能が向上する。（２）金属製表面材と金属製裏面材間に合成樹脂発泡体よりなる芯材をサンドイッチした壁パネルを使用した合成被覆耐火構造の耐火構造試験に合格する性能を有する構造に出来る。等の特徴、効果がある。
【図面の簡単な説明】
【０００７】
【図１】本発明に係る合成耐火ジョイナーの一実施例を示す断面図である。
【図２】本発明に係る合成耐火ジョイナーに使用する金属製敷目板の一例を示す断面図である。
【図３】本発明に係る合成耐火ジョイナーの施工状態を示す断面図である。
【図４】本発明に係る合成耐火ジョイナーの施工状態を示す断面図である。
【図５】本発明に係る合成耐火ジョイナーの施工状態を示す断面図である。
【図６】本発明に係る合成耐火ジョイナーの施工状態を示す斜視図である。
【図７】本発明に係る合成耐火ジョイナーの施工に使用する壁パネルの一実施例を示す断面図である。
【図８】本発明に係る合成耐火ジョイナーの施工に使用する壁パネルの施工状態の一実施例を示す断面図である。
【図９】本発明に係る合成耐火ジョイナーの施工に使用する壁パネルの一実施例を示す断面図である。
【発明を実施するための形態】
【実施例】
【０００８】
以下に図面を用いて本発明に係る合成耐火ジョイナーの代表的な実施例について詳細に説明する。図１は本発明に係る合成耐火ジョイナーＡを示す断面図であり、１は金属製敷目板、２は防火ブランケットである。図２は合成耐火ジョイナーＡの部材である金属製敷目板１を示す断面図である。図３〜図５は合成耐火ジョイナーＡの施工状態を示す断面図、図６は合成耐火ジョイナーＡの施工状態を示す斜視図である。
【０００９】
図３〜図６に示すように、縦目地部Ｍにおける角形鋼管を下地材として形成した合成被覆耐火構造では、角形鋼管取合部αは、角形鋼管柱α１、ロックウール等の耐火被覆材α２、固定具α３より形成されるものである。また、βは固定下地、γは固定具である。
【００１０】
合成耐火ジョイナーＡは図１に示すような断面の長尺状部材であり、金属製敷目板１と防火ブランケット２より形成されたものである。
【００１１】
さらに、図２に示すように、金属製敷目板１は、平面状の支持部３と、支持部３の両端部を下方に傾斜して垂下した段差３ａと、段差３ａの先端を外方に延長した突出片４と、突出片４の先端を内方に屈曲した係止片５と、係止片５と突出片４より形成された係止溝６と、支持空間７より形成したものである。
【００１２】
段差３ａにより形成した支持空間７は、図に示すように角形鋼管柱α１に合致した形状に形成することにより、合成耐火ジョイナーＡのガタツキと、耐火試験時の隙間の形成を防止し、耐火性の向上に寄与するものである。
【００１３】
突出片４、係止片５、係止溝６は防火ブランケット２を確実に固定かつ接着する部分であり、壁パネルＰ裏面と角形鋼管柱α１間に隙間が形成されるのを防止し耐火性を向上するものである。
【００１４】
壁パネルＰは図７〜９に示すように、壁パネルＰを横張り状に施工する際に両端部となる金属製表面材Ｐ５の端部をＬ字状に屈曲したＬ形目地片Ｐ１、Ｐ２と、防水パッキンＰ３と、金属製表面材Ｐ５と金属製裏面材Ｐ６間に合成樹脂発泡体よりなる芯材Ｐ７を充填〜発泡〜硬化させて一体化し、上下端部に耐火性と防水性強化のために形成した強化石膏ボードＰ８、セラミックファイバーＰ９、防水パッキンＰ１０を形成した長尺状部材である。
【００１５】
金属製表面材Ｐ５、金属製裏面材Ｐ６の素材としては、金属製薄板材、例えば鉄、アルミニウム、銅、ステンレス、チタン、アルミ・亜鉛合金メッキ鋼板、ガルバ鋼板、ホーロー鋼板、クラッド鋼板、ラミネート鋼板（塩ビ鋼板等）、サンドイッチ鋼板（制振鋼板等）の一種をロール成形、プレス成形、等によって各種形状に成形したものである。
【００１６】
防火ブランケット２はロックウールフェルト等よりなる耐火性のあるシート状部材である。
【００１７】
防火ブランケット２は、図１に示すように、ロックウールフェルト等よりなる耐火性のあるシート状部材を係止溝６〜係止片５〜突出片４に掛けてその嵌合と突出片５への接着により金属製敷目板１と一体化するものである。
【００１８】
Ｂはジョイナーであり、金属製のハット形ジョイナーＢ１と、ロックウールフェルト等よりなるシール材Ｂ２と、防水性強化のパッキン材Ｂ３とから形成したものである。また、Ｃはセラミックファイバー等よりなる耐火性強化の充填剤、Ｄはバックアップ材、Ｅはシーリング材である。
【符号の説明】
【００１９】
α  角形鋼管取合部
α１  角形鋼管柱
α２  耐火被覆材
α３  固定具
β  固定下地
γ  固定具
Ａ  合成耐火ジョイナー
Ｂ  ジョイナー
Ｂ１  ハット形ジョイナー
Ｂ２  シール材
Ｂ３  パッキン材
Ｃ  充填剤
Ｄ  バックアップ材
Ｅ  シーリング材
Ｍ  縦目地部
Ｐ  壁パネル
Ｐ１  Ｌ形目地片
Ｐ２  Ｌ形目地片
Ｐ３  防水パッキン
Ｐ４  シール材
Ｐ５  金属製表面材
Ｐ６  金属製裏面材
Ｐ７  芯材
Ｐ８  強化石膏ボード
Ｐ９  セラミックファイバー
Ｐ１０  防水パッキン
１  金属製敷目板
２  防火ブランケット
３  支持部
３ａ  段差
４  突出片
５  係止片
６  係止溝
７  支持空間
【図１】
2019152046.tif 000003
【図２】
2019152046.tif 000004
【図３】
2019152046.tif 000005
【図４】
2019152046.tif 000006
【図５】
2019152046.tif 000007
【図６】
2019152046.tif 000008
【図７】
2019152046.tif 000009
【図８】
2019152046.tif 000010
【図９】
2019152046.tif 000011